(57)【要約】      （修正有）【課題】輝度及び放電効率を向上することができ、画質の向上を図ることができるプラズマディスプレイ装置を提供する。【解決手段】プラズマディスプレイ装置Ｄ１００ｂは、上部基板と、下部基板と、スキャン電極３０と、サステイン電極と、第１隔壁１０と、第２隔壁２０とを備える。サステイン電極は、上部基板の上において、スキャン電極３０と並ぶように形成されている。第１隔壁１０は、下部基板の上にスキャン電極３０と並ぶように形成されている。第２隔壁２０は、下部基板の上に第１隔壁１０と交差するように形成されている。スキャン電極３０は、複数のバス電極（３０ａ，３０ｂ）を有する。複数のバス電極（３０ａ，３０ｂ）における少なくとも１つのバス電極（３０ａ）は、第１隔壁１０と並ぶように延びるとともに、第１隔壁１０と投影されて重なるように形成される。【選択図】図３Ａ
2007128846.tif 000002
【特許請求の範囲】
【請求項１】
上部基板と、
前記上部基板に対向する下部基板と、
前記上部基板の上に形成されたスキャン電極と、
前記上部基板の上において、前記スキャン電極と並ぶように形成されたサステイン電極と、
前記下部基板の上に前記スキャン電極と並ぶように形成された第１隔壁と、
前記下部基板の上に前記第１隔壁と交差するように形成された第２隔壁と、
を備え、
前記スキャン電極及び前記サステイン電極の少なくとも一方は、複数のバス電極を有し、
前記複数のバス電極における少なくとも１つのバス電極は、前記第１隔壁と並ぶように延びるとともに、前記第１隔壁と投影されて重なるように形成される、
プラズマディスプレイ装置。
【請求項２】
前記上部基板、前記下部基板、前記第１隔壁及び前記第２隔壁に囲まれて形成された放電セルをさらに備え、
前記複数のバス電極における残りのバス電極は、前記１つのバス電極と並ぶように延びるとともに、前記放電セルと投影されて重なるように形成されている、
請求項１に記載のプラズマディスプレイ装置。
【請求項３】
前記複数のバス電極における各バス電極は、互いに実質的に同一な幅で形成されている、
請求項１に記載のプラズマディスプレイ装置。
【請求項４】
前記複数のバス電極における各バス電極の幅は、略３０μｍ以上５０μｍ以下である、
請求項３に記載のプラズマディスプレイ装置。
【請求項５】
前記複数のバス電極における各バス電極は、互いに第１間隔で離れて並ぶように形成されている、
請求項４に記載のプラズマディスプレイ装置。
【請求項６】
前記第１間隔は、前記複数のバス電極における各バス電極の幅より狭くなっている、
請求項５に記載のプラズマディスプレイ装置。
【請求項７】
前記第１間隔は、略１５μｍ以上２５μｍ以下である、
請求項５に記載のプラズマディスプレイ装置。
【請求項８】
前記複数のバス電極における各バス電極を互いに連結する連結電極をさらに備えた、
請求項１に記載のプラズマディスプレイ装置。
【請求項９】
前記連結電極は、前記第２隔壁と並ぶように形成されている、
請求項８に記載のプラズマディスプレイ装置。
【請求項１０】
前記連結電極は、前記第２隔壁と投影されて重なるように形成されている、
請求項９に記載のプラズマディスプレイ装置。
【請求項１１】
前記連結電極は、前記第２隔壁の幅より狭く形成されている、
請求項１０に記載のプラズマディスプレイ装置。
【請求項１２】
前記連結電極の幅は、前記複数のバス電極における各バス電極の幅と実質的に等しい、あるいは、前記複数のバス電極における各バス電極の幅より狭い、
請求項１１に記載のプラズマディスプレイ装置。
【請求項１３】
前記連結電極の幅は、略１５μｍ以上２５μｍ以下である、
請求項１１に記載のプラズマディスプレイ装置。
【請求項１４】
上部基板と、
前記上部基板に対向する下部基板と、
前記上部基板の上に形成されたスキャン電極と、
前記上部基板の上において、前記スキャン電極と並ぶように形成されたサステイン電極と、
前記下部基板の上に形成された隔壁と、
を備え、
前記スキャン電極及び前記サステイン電極の少なくとも一方は、複数のバス電極を含むバス電極群を有する、
プラズマディスプレイ装置。
【請求項１５】
前記隔壁は、
前記スキャン電極と並ぶ方向に延びるように形成された第１隔壁と、
前記第１隔壁と交差する方向に延びるように形成された第２隔壁と、
を有する、
請求項１４に記載のプラズマディスプレイ装置。
【請求項１６】
前記上部基板、前記下部基板、前記第１隔壁及び前記第２隔壁に囲まれて形成された放電セルをさらに備え、
前記スキャン電極及び前記サステイン電極の少なくとも一方は、前記上部基板と前記バス電極群との間に形成された透明電極
をさらに有し、
前記バス電極群における少なくとも１つのバス電極は、前記第１隔壁と並ぶように延びるとともに、前記第１隔壁と投影されて重なるように形成され、
前記バス電極群における残りのバス電極は、前記１つのバス電極と並ぶように延びるとともに、前記放電セルと投影されて重なるように形成される、
請求項１５に記載のプラズマディスプレイ装置。
【請求項１７】
前記残りのバス電極は、前記１つのバス電極と並ぶように、隣り合う前記第２隔壁の付近まで延びている、
請求項１６に記載のプラズマディスプレイ装置。
【請求項１８】
前記透明電極は、前記第２隔壁と投影されて重なる部分の幅が、放電セルに投影されて重なる部分の幅より狭い、
請求項１６に記載のプラズマディスプレイ装置。
【発明の詳細な説明】
【技術分野】
【０００１】
本発明は、プラズマディスプレイ装置に関し、輝度及び放電効率を向上することができ、画質の向上を図ることができるプラズマディスプレイ装置に関する。
【背景技術】
【０００２】
プラズマディスプレイ装置（Ｐｌａｓｍａ  Ｄｉｓｐｌａｙ  Ｐａｎｅｌ  Ｄｅｖｉｃｅ：以下“ＰＤＰ”という）では、Ｈｅ+Ｘｅ、Ｎｅ+ＸｅまたはＨｅ+Ｘｅ+Ｎｅなどの不活性混合ガスの放電時に発生する約１４７ｎｍの波長を有する真空紫外線（ＶＵＶ）により蛍光体が発光することによって文字またはグラフィックを含んだ画像が表示される。このようなＰＤＰは、薄膜化と大型化が容易であるだけでなく、最近の技術開発に助けられて非常に向上した画質を提供する。特に、３電極交流面放電型ＰＤＰは、放電の際に誘電体の表面に壁電荷が蓄積されるため、低電圧駆動できるという長所を有する。また、３電極交流面放電型ＰＤＰは、放電により発生するスパッタリングから電極が保護されるようになっているため、長寿命であるという長所を有する。
【０００３】
このような従来のプラズマディスプレイ装置には、スキャン電極及びサステイン電極を形成することに関して、それぞれが透明電極とバス電極（金属電極）とを備えた形態（図１参照）と、それぞれがバス電極のみを備えた形態（図２参照）との２つの形態がある。
【０００４】
図１は従来の一般的なプラズマディスプレイ装置の構造を示す図であり、図２は従来の透明電極のない（ＩＴＯ−ｌｅｓｓ）プラズマディスプレイ装置の構造を示す図である。
【０００５】
従来の一般的なプラズマディスプレイ装置Ｄ１ａ及び従来の透明電極のないプラズマディスプレイ装置Ｄ１ｂは、いずれも、上部基板の上に形成されたスキャン電極Ｙ及びサステイン電極Ｚと、下部基板の上に形成されたアドレス電極Ｘ（図１，図２に一点鎖線で示す）とを備える。
【０００６】
スキャン電極Ｘとサステイン電極Ｙとは、それぞれ、透明電極（Ｙ１、Ｚ１）と金属バス電極（Ｙ２、Ｚ２）とを有する。
【０００７】
図１において、透明電極（Ｙ１、Ｚ１）は、通常、インジウムチンオキサイド（Ｉｎｄｉｕｍ−Ｔｉｎ−Ｏｘｉｄｅ：ＩＴＯ）で形成される。この透明電極（Ｙ１、Ｚ１）は、上部基板の上に形成され、電極間放電ギャップ（Ｇ１ａ）を形成する役割をする。金属バス電極（Ｙ２、Ｚ２）は、通常、クロム（Ｃｒ）、銀（Ａｇ）及び銅（Ｃｕ）などの伝導性が良い金属で形成される。この金属バス電極（Ｙ、Ｚ）は、透明電極（Ｙ１、Ｚ１）上に形成され、抵抗の高い透明電極による電圧降下を緩和する（電気抵抗を低減する）役割をする。このような金属バス電極は、一つの金属で形成されたり、上部誘電体層への拡散を防止するために複数の金属層で形成されたりする。
【０００８】
アドレス電極Ｘが形成された下部基板には放電セル４を区画するための横隔壁１と縦隔壁２が形成される。横隔壁１はスキャンバス電極（Y）またはサステインバス電極（Ｚ）と並ぶ方向に形成され、縦隔壁２はアドレス電極Ｘ（一点鎖線で示す）と並ぶ方向に形成される。
【発明の開示】
【発明が解決しようとする課題】
【０００９】
従来の一般的なプラズマディスプレイ装置Ｄ１ａ及び従来の透明電極のないプラズマディスプレイ装置Ｄ１ｂでは、いずれも、放電ギャップ（Ｇ１ａ，Ｇ１ｂ）が広いほど放電効率は向上するが、それによって放電電圧が高くなるという短所がある。そこで、放電効率の向上と放電電圧の低減とのトレードオフにより、放電ギャップ（Ｇ１ａ，Ｇ１ｂ）が適度な値に保たれる必要がある。
【００１０】
従来の一般的なプラズマディスプレイ装置Ｄ１ａでは、図１に示すように、スキャンバス電極（Ｙ２）とサステインバス電極（Ｚ２）とが、透明電極（Ｙ１、Ｚ１）に重なるとともに、隔壁（横隔壁１）と投影されて一部重なるように形成される。すなわち、バス電極（スキャンバス電極Ｙ２、サステインバス電極Ｚ２）は、横隔壁１に投影されて一部重なる位置に形成される。
【００１１】
この場合、放電セル４においてバス電極（スキャンバス電極Ｙ２、サステインバス電極Ｚ２）が投影されて重なる部分が少なく抑えられているので、開口率の低下を低減でき、輝度を増加することができる。しかし、バス電極（スキャンバス電極Ｙ２、サステインバス電極Ｚ２）において横隔壁１（幅Ｗｒ１の部分）が投影されて重ならない部分（幅Ｗ４の部分）が上下に隣接する放電セルの近くに位置しているので、バス電極全体と、上下に隣接する放電セルとの距離も小さくなっている。これにより、バス電極（スキャンバス電極Ｙ２、サステインバス電極Ｚ２）は、隣接した放電セルが非放電（ＯＦＦ）に指定されていてもクロストーク（ｃｒｏｓｓ  ｔａｌｋ）による放電を発生させてしまうことがあり、輝点発生や境界残像現象を発生させることがある。これにより、画質が低下するおそれがある。
【００１２】
一方、従来の透明電極のないプラズマディスプレイ装置Ｄ１ｂでは、図２に示すように、透明電極（Ｙ１、Ｚ１）がなく、放電効率の低下を抑えるとともに放電電圧の上昇を抑えるために放電ギャップ（Ｇ１ｂ）を（適度な値に保つように）縮めなければならない。そこで、バス電極（スキャンバス電極Ｙ２、サステインバス電極Ｚ２）は、投影されて放電セル４と重なる位置に形成される。これにより、放電効率の低下は抑えられるが、放電セル４においてバス電極（スキャンバス電極Ｙ２、サステインバス電極Ｚ２）が投影されて重なる部分が多くなっているので、開口率が低下する傾向にあり、輝度が減少するおそれがある。
【００１３】
本発明は、上記の従来技術の問題を解決するために案出されたものであって、複数輝度及び放電効率を向上することができ、画質の向上を図ることができるプラズマディスプレイ装置を提供することを目的とする。
【課題を解決するための手段】
【００１４】
第１発明に係るプラズマディスプレイ装置は、上部基板と、下部基板と、スキャン電極と、サステイン電極と、第１隔壁と、第２隔壁とを備える。下部基板は、上部基板に対向する。スキャン電極は、上部基板の上に形成されている。サステイン電極は、上部基板の上において、スキャン電極と並ぶように形成されている。第１隔壁は、下部基板の上にスキャン電極と並ぶように形成されている。第２隔壁は、下部基板の上に第１隔壁と交差するように形成されている。スキャン電極及びサステイン電極の少なくとも一方は、複数のバス電極を有する。複数のバス電極における少なくとも１つのバス電極は、第１隔壁と並ぶように延びるとともに、第１隔壁と投影されて重なるように形成されている。
このプラズマディスプレイ装置では、複数のバス電極における少なくとも１つのバス電極は、第１隔壁と並ぶように延びるとともに、第１隔壁と投影されて重なるように形成されている。これにより、上部基板、下部基板、第１隔壁及び第２隔壁に囲まれて形成される放電セルにおいて複数のバス電極が投影されて重なる部分の面積を少なく押さえることができるので、開口率を向上することができる。このため、輝度を向上することができる。
また、輝度を向上することができるため、放電効率を向上することができる。
さらに、複数のバス電極における残りのバス電極は、１つのバス電極と並ぶように延びるとともに、放電セルと投影されて重なるように形成することができる。これにより、複数のバス電極において第１隔壁と重ならない部分が隣接する放電セルから離れるようにすることができ、バス電極全体と、上下に隣接する放電セルとの距離を大きくすることができるので、隣接した放電セルが非放電（ＯＦＦ）に指定されているのにクロストーク（ｃｒｏｓｓ  ｔａｌｋ）により放電してしまうことを少なくできる。このため、輝点発生や境界残像現象を低減することができるので、画質を向上することができる。
このように、輝度及び放電効率を向上することができ、画質の向上を図ることができる。
【００１５】
第２発明に係るプラズマディスプレイ装置は、第１発明のプラズマディスプレイ装置であって、放電セルをさらに備える。放電セルは、上部基板、下部基板、第１隔壁及び第２隔壁に囲まれて形成されている。複数のバス電極における残りのバス電極は、１つのバス電極と並ぶように延びるとともに、放電セルと投影されて重なるように形成されている。
【００１６】
第３発明に係るプラズマディスプレイ装置は、第１発明のプラズマディスプレイ装置であって、複数のバス電極における各バス電極は、互いに実質的に同一な幅で形成されている。
【００１７】
第４発明に係るプラズマディスプレイ装置は、第３発明のプラズマディスプレイ装置であって、複数のバス電極における各バス電極の幅は、略３０μｍ以上５０μｍ以下である。
第５発明に係るプラズマディスプレイ装置は、第４発明のプラズマディスプレイ装置であって、複数のバス電極における各バス電極は、互いに第１間隔で離れて並ぶように形成されている。
【００１８】
第６発明に係るプラズマディスプレイ装置は、第５発明のプラズマディスプレイ装置であって、第１間隔は、複数のバス電極における各バス電極の幅より狭くなっている。
【００１９】
第７発明に係るプラズマディスプレイ装置は、第５発明のプラズマディスプレイ装置であって、第１間隔は、略１５μｍ以上２５μｍ以下である。
第８発明に係るプラズマディスプレイ装置は、第１発明のプラズマディスプレイ装置であって、連結電極をさらに備える。連結電極は、複数のバス電極における各バス電極を互いに連結する。
【００２０】
第９発明に係るプラズマディスプレイ装置は、第８発明のプラズマディスプレイ装置であって、連結電極は、第２隔壁と並ぶように形成されている。
【００２１】
第１０発明に係るプラズマディスプレイ装置は、第９発明のプラズマディスプレイ装置であって、連結電極は、第２隔壁と投影されて重なるように形成されている。
【００２２】
第１１発明に係るプラズマディスプレイ装置は、第１０発明のプラズマディスプレイ装置であって、連結電極は、第２隔壁の幅より狭く形成されている。
第１２発明に係るプラズマディスプレイ装置は、第１１発明のプラズマディスプレイ装置であって、連結電極の幅は、複数のバス電極における各バス電極の幅と実質的に等しい。あるいは、連結電極の幅は、複数のバス電極における各バス電極の幅より狭い。
第１３発明に係るプラズマディスプレイ装置は、第１１発明のプラズマディスプレイ装置であって、連結電極の幅は、１５μｍ以上２５μｍ以下である。
第１４発明に係るプラズマディスプレイ装置は、上部基板と、下部基板と、スキャン電極と、サステイン電極と、隔壁とを備える。下部基板は、上部基板に対向する。スキャン電極は、上部基板の上に形成されている。サステイン電極は、上部基板の上において、スキャン電極と並ぶように形成されている。隔壁は、下部基板の上に形成されている。スキャン電極及びサステイン電極の少なくとも一方は、バス電極群を有する。バス電極群は、複数のバス電極を含んでいる。
このプラズマディスプレイ装置では、バス電極群における少なくとも１つのバス電極は、隔壁と並ぶように延びるとともに、隔壁と投影されて重なるように形成することができる。この場合、上部基板、下部基板及び隔壁に囲まれて形成された放電セルにおいてバス電極群が投影されて重なる部分の面積を少なく押さえることができるので、開口率を向上することができる。このため、輝度を向上することができる。
また、輝度を向上することができるため、放電効率を向上することができる。
さらに、バス電極群における残りのバス電極は、１つのバス電極と並ぶように延びるとともに、放電セルと投影されて重なるように形成することができる。これにより、複数のバス電極において隔壁と重ならない部分が隣接する放電セルから離れるようにすることができ、バス電極全体と、上下に隣接する放電セルとの距離を大きくすることができるので、隣接した放電セルが非放電（ＯＦＦ）に指定されているのにクロストーク（ｃｒｏｓｓ  ｔａｌｋ）により放電してしまうことを少なくできる。このため、輝点発生や境界残像現象を低減することができるので、画質を向上することができる。
このように、輝度及び放電効率を向上することができ、画質の向上を図ることができる。
第１５発明に係るプラズマディスプレイ装置は、第１４発明のプラズマディスプレイ装置であって、隔壁は、第１隔壁と、第２隔壁とを有する。第１隔壁は、スキャン電極と並ぶ方向に延びるように形成されている。第２隔壁は、第１隔壁と交差する方向に延びるように形成されている。
第１６発明に係るプラズマディスプレイ装置は、第１５発明のプラズマディスプレイ装置であって、放電セルをさらに備える。放電セルは、上部基板、下部基板、第１隔壁及び第２隔壁に囲まれて形成されている。スキャン電極及びサステイン電極の少なくとも一方は、透明電極をさらに有する。透明電極は、上部基板とバス電極群との間に形成されている。バス電極群における少なくとも１つのバス電極は、第１隔壁と並ぶように延びるとともに、第１隔壁と投影されて重なるように形成されている。バス電極群における残りのバス電極は、１つのバス電極と並ぶように延びるとともに、放電セルと投影されて重なるように形成されている。
第１７発明に係るプラズマディスプレイ装置は、第１６発明のプラズマディスプレイ装置であって、残りのバス電極は、１つのバス電極と並ぶように、隣り合う第２隔壁の付近まで延びている。
第１８発明に係るプラズマディスプレイ装置は、第１６発明のプラズマディスプレイ装置であって、透明電極は、第２隔壁と投影されて重なる部分の幅が、放電セル４０に投影されて重なる部分の幅より狭い。
このプラズマディスプレイ装置では、透明電極は、第２隔壁と投影されて重なる部分の幅が、放電セル４０に投影されて重なる部分の幅より狭い。これにより、透明電極に用いられる材料の量を減らすことができるので、透明電極の製造コストを低減できる。
このように、透明電極の製造コストを低減できるので、全体の製造コストを低減することができ、価格競争力を向上することができる。
【発明の効果】
【００２３】
第１発明に係るプラズマディスプレイ装置では、輝度及び放電効率を向上することができ、画質の向上を図ることができる。
第１４発明に係るプラズマディスプレイ装置では、輝度及び放電効率を向上することができ、画質の向上を図ることができる。
【００２４】
第１８発明に係るプラズマディスプレイ装置では、透明電極の製造コストを低減できるので、全体の製造コストを低減することができ、価格競争力を向上することができる。
【発明を実施するための最良の形態】
【００２５】
以下、本発明の好ましい実施形態を添付の図面を参照しつつ詳細に説明する。
【００２６】
本発明は、スキャン電極及びサステイン電極の少なくとも一方の電極に適用される。すなわち、スキャン電極及びサステイン電極の少なくとも一方は、複数のバス電極で構成されるバス電極群を有する。以下、説明する実施形態では、スキャン電極及びサステイン電極がバス電極群（第１バス電極，第２バス電極）を有する場合が例として説明されているが、これに限られるものではない。
【００２７】
（第１実施形態）
図３Ａは、本発明の第１実施形態に係るプラズマディスプレイ装置の電極構造を示す図であって、電極と隔壁とを上部基板の上方から透視して見た形態を示す図である。図３Ａには、バス電極の上に透明電極が形成されていない形態の電極構造が示されている。
【００２８】
図３Ａには、スキャン電極及びサステイン電極の一方の電極のみ図示されているが、他方の電極も同様な構造で形成される。（以下に説明する他の図に関しても同様である）
【００２９】
図３Ａを参照すれば、プラズマディスプレイ装置Ｄ１００ｂは、上部基板に並ぶように形成されたスキャン電極３０及びサステイン電極（図示せず）と、上部基板と対向する下部基板にスキャン電極と並ぶように形成された第１隔壁１０と、第１隔壁１０と交差するように形成された第２隔壁２０とを備える。
【００３０】
また、スキャン電極３０（またはサステイン電極）は、第１バス電極３０ａと第２バス電極３０ｂとを有する。第１バス電極３０ａは、第１隔壁１０と投影されて完全に重なるように、横隔壁１０の上方に形成される。
【００３１】
ここで、第１バス電極の幅（Ｗ１０１ｂ）は横隔壁の幅（Ｗｒ１）の幅より狭く形成されている。
【００３２】
第２バス電極３０ｂは、第１バス電極３０ａと所定間隔（Ｗ１０２ｂ）離れて並ぶように、放電セル４０の上方に形成される。ここで、離される間隔（Ｗ１０２ｂ）は、第１バス電極の幅（Ｗ１０１ｂ）より狭くなっている。
【００３３】
第１バス電極３０ａの位置を固定して、第２バス電極３０ｂと第１バス電極３０ａとの間隔（Ｗ１０２ｂ）を狭めれば、スキャン電極３０に形成された第２バス電極３０ｂと、サステイン電極（図示せず）に形成された第２バス電極との間の距離、すなわち放電ギャップＧ１００ｂが広くなる。すなわち、従来の透明電極のないプラズマディスプレイ装置Ｄ１ｂ（図２参照）に比べて、放電セル４０においてバス電極（第１バス電極３０ａ，第２バス電極３０ｂ）が投影されて重なる部分が少なく抑えられているので、開口率の低下を低減でき、輝度は向上する。また、輝度が向上するので、放電効率は向上する。
【００３４】
第２バス電極３０ｂの幅（Ｗ１０４ｂ）は、第１バス電極の幅（Ｗ１０１ｂ）と同一に形成されることが好ましいが、これに限るものではない。
【００３５】
ここで、従来のバス電極（Ｙ２，Ｚ２）（図２参照）が一般的に約１００μｍの幅を持っているのに対して、本発明の第１実施形態では、第１バス電極３０ａの幅（Ｗ１０１ｂ）及び第２バス電極３０ｂの幅（Ｗ１０４ｂ）が、それぞれ、従来のバス電極（Ｙ２，Ｚ２）の幅より狭く（例えば、約３０〜５０μｍになるように）形成されている。また、第１バス電極３０ａと第２バス電極３０ｂとの間の間隔は、約１５〜２５μｍに形成されている。第１バス電極３０ａの幅（Ｗ１０１ｂ）及び第２バス電極３０ｂの幅（Ｗ１０４ｂ）は、４０μｍであることが好ましい。第１バス電極３０ａと第２バス電極３０ｂとの間の間隔（Ｗ１０２ｂ）は、２０μｍであることが好ましい。
【００３６】
さらに、第１バス電極３０ａから第２バス電極３０ｂまでの全体的なバス電極の幅（Ｗ１０１ｂ＋Ｗ１０２ｂ＋Ｗ１０４ｂ）は約１００μｍ以下に形成されることが好ましい。
【００３７】
（プラズマディスプレイ装置に関する特徴）
従来のバス電極（Ｙ２，Ｚ２）（図２参照）の幅が一般的に約１００μｍであるのに対して、本発明の第１実施形態では、第２バス電極３０ｂの幅が約３０〜５０μｍになるように形成されている。すなわち、放電セル４においてバス電極（スキャンバス電極Ｙ２、サステインバス電極Ｚ２）が投影されて重なる部分の面積（図２参照）に比べて、放電セル４０においてバス電極（第１バス電極３０ａ，第２バス電極３０ｂ）が投影されて重なる部分の面積（図３Ａ参照）が少なくなっているので、放電セル４の開口率に比べて、放電セル４０の開口率は高くなっている。このため、従来の透明電極のないプラズマディスプレイ装置Ｄ１ｂに比べて、輝度は向上している。
また、従来のバス電極（Ｙ，Ｚ）により形成される放電ギャップＧ１ｂに比べて、放電ギャップＧ１００ｂが広く取られている（図３Ａ参照）。このため、従来の透明電極のないプラズマディスプレイ装置Ｄ１ｂに比べて、輝度が向上しているので、放電効率は向上している。
【００３８】
さらに、バス電極（スキャンバス電極Ｙ２、サステインバス電極Ｚ２）において横隔壁１が投影されて重ならない部分（図１に示す幅Ｗ４の部分）に比べて、バス電極（第１バス電極３０ａ，第２バス電極３０ｂ）において第１隔壁１０が投影されて重ならない部分（図３Ａに示す幅Ｗ１０４ｂの部分）が上下に隣接した放電セルから離れているので、バス電極（第１バス電極３０ａ，第２バス電極３０ｂ）全体と、上下に隣接する放電セルとの距離は、大きくなっている。このため、バス電極（第１バス電極３０ａ，第２バス電極３０ｂ）全体が隣接した放電セル４０へ及ぼすクロストーク（ｃｒｏｓｓ  ｔａｌｋ）の影響は低減されている。すなわち、隣接した放電セル４０が非放電（ＯＦＦ）に指定されているのにクロストーク（ｃｒｏｓｓ  ｔａｌｋ）により放電してしまうことが少なくなり、輝点発生や境界残像現象が発生することが少なくなっている。これにより、画質を向上することができるようになっている。
このように、輝度及び放電効率が向上し、画質の向上が図られる。
【００３９】
なお、第１バス電極３０ａと第２バス電極３０ｂとには、同一なスキャン信号（またはサステイン信号）が印加されて、全体的に一つのバス電極のように動作する。
【００４０】
（第１実施形態の変形例）
・    スキャン電極３０は、２つのバス電極（第１パス電極３０ａ，第２バス電極３０ｂ）を有する代わりに、３つ以上のバス電極を有していても良い。サステイン電極についても同様である。
図３Ｂは、本発明の第１実施形態の変形例に係るプラズマディスプレイ装置の電極構造を示す図であって、電極と隔壁とを上部基板の上方から透視して見た形態を示す図である。図３Ｂには、バス電極の上に透明電極が形成された形態の電極構造が示されている。図３Ｂに示すように、プラズマディスプレイ装置Ｄ１００ａでは、バス電極（第１バス電極３０ａ，第２バス電極３０ｂ）の上に透明電極３０ｄがさらに形成されていてもよい。すなわち、スキャン電極３０は、バス電極（第１バス電極３０ａ，第２バス電極３０ｂ）に加えて、透明電極３０ｄをさらに有していても良い。
この場合、バス電極（スキャンバス電極Ｙ２、サステインバス電極Ｚ２）において横隔壁１が投影されて重なる部分の幅（Ｗ１）（図１参照）に比べて、バス電極（第１バス電極３０ａ，第２バス電極３０ｂ）において第１隔壁１０が投影されて完全に重なる部分の幅（Ｗ１０１ａ）（図３Ｂ参照）が小さいので、そのバス電極（第１バス電極３０ａ，第２バス電極３０ｂ）は、隣接した放電セルが非放電（ＯＦＦ）であってもクロストーク（ｃｒｏｓｓ  ｔａｌｋ）による放電を発生させてしまうことが少なくなり、輝点発生や境界残像現象を発生させることが少なくなる。これにより、画質を向上することができるようになっている。
なお、従来のバス電極（Ｙ２，Ｚ２）により形成される放電ギャップＧ１ａ（図１参照）に比べて、放電ギャップＧ１００ａは広く取られている点は、第１実施形態と同様である。
【００４１】
（第２実施形態）
図４Ａは、本発明の第２実施形態に係るプラズマディスプレイ装置の電極構造を示す図であって、電極と隔壁とを上部基板の上方から透視して見た形態を示す図である。図４Ａには、バス電極の上に透明電極が形成されていない形態の電極構造が示されている。
【００４２】
本発明の第２実施形態に係るプラズマディスプレイ装置Ｄ２００ｂは、その基本的な構造は第１実施形態と同様であるが、第１バス電極３０ａと第２バス電極３０ｂとを連結する連結電極３０ｃがさらに備えられている点で第１実施形態と異なる。
【００４３】
連結電極３０ｃは、アドレス電極と並ぶ方向に形成された第２隔壁２０と投影されて完全に重なるように形成される。
【００４４】
即ち、連結電極３０ｃは、第２隔壁２０の上方において形成される。また、連結電極３０ｃの幅（Ｗ３）は第２隔壁２０の幅（Ｗｒ２）より狭くなっている。
【００４５】
連結電極３０ｃの幅（Ｗ３）は、第１バス電極３０ａの幅（Ｗ１０１ｂ）または第２バス電極３０ｂの幅（Ｗ１０４ｂ）と実質的に等しくなっている。なお、連結電極３０ｃの幅（Ｗ３）は、第１バス電極３０ａの幅（Ｗ１０１ｂ）または第２バス電極３０ｂの幅（Ｗ１０４ｂ）より狭くなっていてもよい。 
【００４６】
連結電極３０ｃの幅（Ｗ３）は、約１５〜２５μｍに形成されることが好ましい。
【００４７】
（プラズマディスプレイ装置に関する特徴）
放電セル４の開口率に比べて放電セル４０の開口率が高くなっている点と、従来のバス電極（Ｙ２，Ｚ２）により形成される放電ギャップＧ１ｂに比べて放電ギャップＧ１００ｂが広く取られている（図３Ａ参照）点と、輝点発生や境界残像現象を発生させることが少なくなっている点とは、第１実施形態と同様である。したがって、このようなプラズマディスプレイ装置Ｄ２００ｂによっても、輝度及び放電効率が向上し、画質の向上が図られる。
また、連結電極３０ｃは、第２隔壁２０の上方において第２隔壁２０と投影されて完全に重なるように形成されているので、放電セル４０の開口率にほとんど影響を及ぼさないようになっている。 
【００４８】
さらに、連結電極３０ｃが形成されていることにより、バス電極（第１バス電極３０ａ，第２バス電極３０ｂ，連結電極３０ｃ）全体の合成抵抗が低くなるので、バス電極（第１バス電極３０ａ，第２バス電極３０ｂ，連結電極３０ｃ）を介して安定的に流すことができる電流の量を増加することができる。このため、従来の透明電極のないプラズマディスプレイ装置Ｄ１ｂに比べて、放電効率がさらに向上している。
【００４９】
（第２実施形態の変形例）
図４Ｂは、本発明の第２実施形態の変形例に係るプラズマディスプレイ装置の電極構造を示す図であって、電極と隔壁とを上部基板の上方から透視して見た形態を示す図である。図４Ｂには、バス電極の上に透明電極が形成された形態の電極構造が示されている。図４Ｂに示すように、プラズマディスプレイ装置Ｄ２００ａでは、バス電極（第１バス電極３０ａ，第２バス電極３０ｂ）の上に透明電極３０ｄがさらに形成されていてもよい。
【００５０】
（第３実施形態）
図５は、本発明の第３実施形態に係るプラズマディスプレイ装置の電極構造を示す図であって、電極と隔壁とを上部基板の上方から透視して見た形態を図示す図である。
【００５１】
本発明の第３実施形態に係るプラズマディスプレイ装置Ｄ３００ａは、その基本的な構造は第１実施形態の変形例と同様であるが、スキャン電極３０の代わりにスキャン電極３３０が備えられている点で第１実施形態の変形例と異なる。
すなわち、プラズマディスプレイ装置Ｄ３００ａは、主として、上部基板に並んで形成されたスキャン電極３３０及びサステイン電極と、上部基板と対向する下部基板にスキャン電極３３０と並んで形成された第１隔壁１０と、第１隔壁１０と交差するように形成された第２隔壁２０とを備える。この点は第１実施形態の変形例と同様である。
【００５２】
また、スキャン電極３３０（またはサステイン電極）は、第２バス電極３０ｂの代わりに第２バス電極３３０ｂを有し、透明電極３０ｄの代わりに透明電極３０ｄ２を有する点で第１実施形態の変形例と異なる。
【００５３】
ここで、第１バス電極３０ａが第１隔壁１０と投影されて完全に重なるように形成されているのに対し、第２バス電極３３０ｂは放電セル４０と投影されて重なる位置に形成されている。
【００５４】
第１バス電極３０ａと第２バス電極３３０ｂとは互いに並ぶように形成されている。第２バス電極３３０ｂは、第２バス電極３０ｂ（図３Ｂ参照）に比べて、第２隔壁２０と投影されて重なる部分の付近が部分的に切除された形態を有している。即ち、第２バス電極３３０ｂは、放電セル４０と投影されて完全に重なる部分のみに形成されるため、図面上横方向に一つの電極ラインを形成することでなく、放電セル４０毎に第２隔壁２０部分の付近において途切れた形態で形成されている。すなわち、第２バス電極３３０ｂは、放電セル４０の上方において、第１バス電極３０ａと並ぶように、第２隔壁２０の付近まで延びている。
【００５５】
第２バス電極３３０ｂは、第２隔壁２０の付近において途切れた形態をしているが、第１バス電極３０ａ及び透明電極３０ｄ２を介して隣接する第２バス電極３３０ｂと連結されている。
【００５６】
透明電極３０ｄ２は、一定の幅を持って形成されるが、第１バス電極３０ａと第２バス電極３３０ｂは透明電極３０ｄ２の上に互いに所定間隔（Ｗ３０２ａ）で離れるように形成される。ここで、第１バス電極３０ａと第２バス電極３３０ｂとの間隔（Ｗ３０２ａ）が第１バス電極の幅（Ｗ３０１ａ）より広く形成されている。
【００５７】
第１バス電極３０ａの幅及び第２バス電極３３０ｂの幅は、それぞれ、第１実施形態の変形例と実質的に同一である。
【００５８】
（プラズマディスプレイ装置に関する特徴）
放電セル４の開口率に比べて放電セル４０の開口率が高くなっている点と、従来のバス電極（Ｙ２，Ｚ２）により形成される放電ギャップＧ１ａ（図１参照）に比べて放電ギャップＧ１００ａが広く取られている（図３Ｂ参照）点と、輝点発生や境界残像現象を発生させることが少なくなっている点とは、第１実施形態の変形例と同様である。したがって、このようなプラズマディスプレイ装置Ｄ３００ａによっても、輝度及び放電効率が向上し、画質の向上が図られる。
また、上記のように構成される本発明の第３実施形態では、第２隔壁２０の付近の部分に第２バス電極３３０ｂが形成されていない。これにより、放電セル４においてバス電極（スキャンバス電極Ｙ２、サステインバス電極Ｚ２）が投影されて重なる部分の面積（図１参照）に比べて、放電セル４０においてバス電極（第１バス電極３０ａ，第２バス電極３３０ｂ）が投影されて重なる部分の面積が少なくなっているので、放電セル４の開口率に比べて、放電セル４０の開口率は高くなっている。このため、従来の透明電極のないプラズマディスプレイ装置Ｄ１ｂに比べて、輝度はさらに向上している。
（第４実施形態）
【００５９】
図６は、本発明の第４実施形態に係るプラズマディスプレイ装置の電極構造を示す図であって、電極と隔壁とを上部基板の上方から透視して見た形態を図示す図である。
【００６０】
図６を参照すれば、本発明の第４実施形態に係るプラズマディスプレイ装置Ｄ４００ａは、その基本的な構造は第３実施形態と実質的に同一であるが、スキャン電極３３０の代わりにスキャン電極４３０が備えられている点で第３実施形態と異なる。すなわち、スキャン電極４３０は、透明電極３０ｄ２の代わりに透明電極３０ｄ１を有する。透明電極３０ｄ１は、その形状が透明電極３０ｄ２と異なる。
【００６１】
具体的には、透明電極３０ｄ１は、第２隔壁２０と投影されて重なる部分の幅（Ｗｎ）が、放電セル４０に投影されて重なる部分の幅（Ｗｗ）より狭くなっている。
【００６２】
（プラズマディスプレイ装置に関する特徴）
放電セル４の開口率に比べて放電セル４０の開口率が高くなっている点と、従来のバス電極（Ｙ２，Ｚ２）により形成される放電ギャップＧ１ａ（図１参照）に比べて放電ギャップＧ１００ａが広く取られている（図３Ｂ参照）点と、輝点発生や境界残像現象を発生させることが少なくなっている点とは、第１実施形態の変形例と同様である。したがって、このようなプラズマディスプレイ装置Ｄ４００ａによっても、輝度及び放電効率が向上し、画質の向上が図られる。
また、上記のように、第２隔壁２０と重畳される部分の幅（Ｗｎ）を狭く形成することによって、透明電極３０ｄ１に用いられる材料の量が減るので、透明電極３０ｄ１の製造コストを低減することができるようになっている。さらに、透明電極３０ｄ１がある程度の光遮断率を有するが、第２隔壁２０と投影されて重なる部分の付近において、透明電極３０ｄ１が放電セル４０に投影されて重なる部分の面積が低減されているので、開口率はさらに向上する。これにより、輝度はさらに向上する。
【００６３】
（第５実施形態）
図７は、本発明の第５実施形態に係るプラズマディスプレイ装置の電極構造を示す図であって、電極と隔壁とを上部基板の上方から透視して見た形態を図示す図である。
【００６４】
図７を参照すれば、本発明に係る第５実施形態に係るプラズマディスプレイ装置Ｄ５００ａは、その基本的な構造は第３実施形態と実質的に同一であるが、スキャン電極３３０の代わりにスキャン電極５３０が備えられている点で第３実施形態と異なる。すなわち、スキャン電極５３０は、第２バス電極３３０ｂの代わりに第２バス電極５３０ｂを有し、透明電極３０ｄ２の代わりに透明電極３０ｅ１を有する。具体的には、第１バス電極３０ａと第２バス電極３３０ｂとの間隔（Ｗ３０２ａ）が第１バス電極の幅（Ｗ３０１ａ）より広く形成されている（図５参照）のに対して、第１バス電極３０ａと第２バス電極５３０ｂとの間隔（Ｗ５０２ａ）が第１バス電極の幅（Ｗ５０１ａ）より狭く形成されている。これらの点で、第３実施形態と異なる。 
【００６５】
また、第１バス電極３０ａと第２バス電極５３０ｂとの間隔（Ｗ５０２ａ）が第１バス電極の幅（Ｗ５０１ａ）より狭く形成されているので、透明電極３０ｅ１は、その幅が透明電極３０ｄ２の幅よりも狭くなるように形成されている。この点で、第３実施形態と異なる。
なお、以下の点は第３実施形態と同様である。第１隔壁１０と並ぶ方向に透明電極３０ｅ１が一定の幅を持って形成され、透明電極３０ｅ１上に第１バス電極３０ａと第２バス電極５３０ｂとが形成される。
【００６６】
第１バス電極３０ａは、第１隔壁１０と投影されて完全に重なるように形成されている。
【００６７】
第２バス電極５３０ｂは、第１バス電極３０ａと所定間隔（Ｗ５０２ａ）離れて並ぶように形成される。
【００６８】
第２バス電極３０ｂの幅（Ｗ５０４ａ）は、第１バス電極３０ａの幅（Ｗ５０１ａ）と実質的に同一に形成される。
【００６９】
第２バス電極５３０ｂは、第２隔壁２０と投影されて重なる部分の付近が部分的に切除された形態を有しており、放電セル４０毎に第２隔壁２０部分の付近において途切れた形態で形成される。すなわち、第２バス電極５３０ｂは、放電セル４０の上方において、第１バス電極３０ａと並ぶように、第２隔壁２０の付近まで延びている。
【００７０】
（プラズマディスプレイ装置に関する特徴）
放電セル４の開口率に比べて放電セル４０の開口率が高くなっている点と、従来のバス電極（Ｙ２，Ｚ２）により形成される放電ギャップＧ１ａ（図１参照）に比べて放電ギャップＧ１００ａが広く取られている（図３Ｂ参照）点と、輝点発生や境界残像現象を発生させることが少なくなっている点とは、第１実施形態の変形例と同様である。したがって、このようなプラズマディスプレイ装置Ｄ５００ａによっても、輝度及び放電効率が向上し、画質の向上が図られる。
また、上記のように、透明電極３０ｅ１の幅が透明電極３０ｄ２の幅よりも狭くなるように形成されていることによって、透明電極３０ｅ１に用いられる材料の量が減るので、透明電極３０ｅ１の製造コストを低減することができるようになっている。さらに、透明電極３０ｅ１がある程度の光遮断率を有するが、透明電極３０ｅ１の幅が透明電極３０ｄ２（図５参照）の幅よりも狭くなるように形成されており、透明電極３０ｅ１が放電セル４０に投影されて重なる部分の面積が低減されているので、開口率はさらに向上する。
なお、上記のように、第２バス電極５３０ｂが第２隔壁２０部分の付近において途切れた形態になっている点は第３実施形態と同様であるが、第１バス電極３０ａと第２バス電極３３０ｂとの間隔（Ｗ３０２ａ）に比べて、第１バス電極３０ａと第２バス電極５３０ｂとの間隔（Ｗ５０２ａ）が狭く形成されている。このため、開口率が高くなっている点は第３実施形態と同様であるが、放電ギャップ（Ｇ）が広いロングギャップ（ｌｏｎｇ−ｇａｐ）の形態を有する点で第３実施形態と異なる。すなわち、第３実施形態に比べて、放電電圧は高くなるが放電効率は向上する。
【００７１】
（第６実施形態）
図８は、本発明の第６実施形態に係るプラズマディスプレイ装置の電極構造を示す図であって、電極と隔壁とを上部基板の上方から透視して見た形態を示す図である。
【００７２】
図８を参照すれば、本発明の第６実施形態に係るプラズマディスプレイ装置Ｄ６００ａは、その基本的な構造は第５実施形態と実質的に同一であるが、スキャン電極５３０の代わりにスキャン電極６３０が備えられている点で第５実施形態と異なる。すなわち、スキャン電極６３０は、透明電極３０ｅ１の代わりに透明電極３０ｅ２を有する。透明電極３０ｅ２は、その形状が透明電極３０ｅ１と異なる。
【００７３】
具体的には、透明電極３０ｅ２は、第２隔壁２０と投影されて重なる部分の幅（Ｗn１）が、放電セル４０に投影されて重なる部分の幅（Ｗｗ）より狭くなっている。
【００７４】
（プラズマディスプレイ装置に関する特徴）
放電セル４の開口率に比べて放電セル４０の開口率が高くなっている点と、従来のバス電極（Ｙ２，Ｚ２）により形成される放電ギャップＧ１ａ（図１参照）に比べて放電ギャップＧ１００ａが広く取られている（図３Ｂ参照）点と、輝点発生や境界残像現象を発生させることが少なくなっている点とは、第５実施形態と同様である。したがって、このようなプラズマディスプレイ装置Ｄ６００ａによっても、輝度及び放電効率が向上し、画質の向上が図られる。
また、上記のように、第２隔壁２０と重畳される部分の幅（Ｗn１）を狭く形成することによって、透明電極３０ｅ２に用いられる材料の量が減るので、透明電極３０ｅ２の製造コストを低減することができるようになっている。さらに、透明電極３０ｅ２がある程度の光遮断率を有するが、第２隔壁２０と投影されて重なる部分の付近において、透明電極３０ｄ１が放電セル４０に投影されて重なる部分の面積が低減されているので、開口率はさらに向上する。これにより、輝度はさらに向上する。
【００７５】
以上のように、本発明に係るプラズマディスプレイ装置を例示した図面を参照して説明したが、本発明は、明細書に開示された実施形態と図面に限られるものでなく、技術思想が保護される範囲内で変形可能である。
【図面の簡単な説明】
【００７６】
【図１】従来の一般的なプラズマディスプレイ装置の電極構造を示す図である。
【図２】従来の透明電極のない（ＩＴＯ−ｌｅｓｓ）プラズマディスプレイ装置の電極構造を示す図である。
【図３Ａ】本発明の第１実施形態に係るプラズマディスプレイ装置の電極構造を示す図である。
【図３Ｂ】本発明の第１実施形態においてバス電極上に透明電極が形成された電極構造を示す図である。
【図４Ａ】本発明の第２実施形態に係るプラズマディスプレイ装置の電極構造を示す図である。
【図４Ｂ】本発明の第２実施形態においてバス電極上に透明電極が形成された電極構造を示す図である。
【図５】本発明の第３実施形態に係るプラズマディスプレイ装置の電極構造を示す図である。
【図６】本発明の第４実施形態に係るプラズマディスプレイ装置の電極構造を示す図である。
【図７】本発明の第５実施形態に係るプラズマディスプレイ装置の電極構造を示す図である。
【図８】本発明の第６実施形態に係るプラズマディスプレイ装置の電極構造を示す図である。
【符号の説明】
【００７７】
１０    横隔壁
２０    縦隔壁
３０ａ    第１バス電極
３０ｂ    第２バス電極
３０ｃ    連結電極
４０    放電セル
３０ｄ、３０ｄ１、３０ｄ２    透明電極
Ｗｒ１    横隔壁の幅
Ｗｒ２    縦隔壁の幅
Ｗ１０１ｂ    第１ 、２バス電極の幅
Ｗ１０２ｂ    第１バス電極と第２バス電極との間の間隔
【図１】
2007128846.tif 000003
【図２】
2007128846.tif 000004
【図３Ａ】
2007128846.tif 000005
【図３Ｂ】
2007128846.tif 000006
【図４Ａ】
2007128846.tif 000007
【図４Ｂ】
2007128846.tif 000008
【図５】
2007128846.tif 000009
【図６】
2007128846.tif 000010
【図７】
2007128846.tif 000011
【図８】
2007128846.tif 000012